(57)【要約】【課題】担体を均等に加熱して、エンジンのコールドスタート時においても担体に担持された触媒を活性温度まで昇温できる排気浄化装置を提供する。【解決手段】電極３０・４０を通じて円筒状の担体２０を通電加熱し、担体２０に担持された触媒を活性温度まで昇温する排気浄化装置１００であって、担体２０は、複数の隔壁２１・２１・・・によってハニカム構造に形成され、複数の隔壁２１・２１・・・を通じて、担体２０を通電加熱するための電流が電極３０・４０間を流れ、端子５０・６０間のすべての電流経路の電気抵抗が等しくなるように担体の隔壁２１・２１・・・の厚さを設定する。【選択図】図４
2011099405.tif 000002
【特許請求の範囲】
【請求項１】
外装をなす中空のケースと、
前記ケースの内部に収納され、触媒が担持される担体と、
前記担体の外周面に設けられる一対の電極と、
前記一対の電極に電気的に接続され、前記ケースの外部に突出する一対の端子と、を具備し、
前記一対の電極を通じて前記担体を通電加熱して前記触媒を活性温度まで昇温する排気浄化装置であって、
前記担体は、複数の隔壁によってハニカム構造に形成され、
前記複数の隔壁を通じて、前記担体を通電加熱するための電流が前記一対の電極間を流れ、
下記の数１から算出される、前記端子間のすべての電流経路の電気抵抗が等しくなるように前記担体の隔壁の厚さが設定される排気浄化装置。
【数１】
2011099405.tif 000014
【発明の詳細な説明】
【技術分野】
【０００１】
本発明は、排気浄化装置に関し、特にエンジンから排出される排気ガスを浄化する排気浄化装置に関する。
【背景技術】
【０００２】
従来、自動車等の排気経路上に設けられ、エンジンから排出される排気ガスを浄化する排気浄化装置として通電加熱式触媒（Ｅｌｅｃｔｒｉｃａｌｌｙ  Ｈｅａｔｅｄ  Ｃａｔａｌｙｓｔ：ＥＨＣ）が知られている。
【０００３】
図８に示すように、従来のＥＨＣである排気浄化装置１００は、外装をなす中空のケース１１０と、ケース１１０の内部に収納され、白金、又はパラジウム等の触媒が担持されたハニカム構造を有する円筒状の担体１２０と、担体１２０の外周面に互いに対向するように設けられ、担体１２０と電気的に接続された電極１３０・１４０と、電極１３０・１４０にそれぞれ電気的に接続されると共に、バッテリ等の電源にワイヤハーネス等を介して電気的に接続された端子１５０・１６０とを具備する。排気浄化装置１００は、前記電源から供給されて電極１３０から電極１４０に向けて流れる電流により担体１２０を通電加熱することで、担体１２０に担持された触媒を活性温度まで昇温して、エンジンから排出される排気ガス中のＨＣ（未燃炭化水素）、ＣＯ（一酸化炭素）、及びＮＯｘ（窒素酸化物）等の有害物質を触媒反応により浄化する。
【０００４】
上記のように、担体１２０に担持された触媒は、活性温度に達している場合において触媒反応により排気ガスを浄化することが可能である。しかし、エンジン始動時、特にコールドスタート時において、触媒の温度が活性温度に達していない場合、排気ガス中の有害物質が浄化されないまま大気中に排出されてしまうという問題が生じる。
【０００５】
そのため、担体１２０のハニカム構造をなす隔壁の厚さを部分的に変更して、電気抵抗を部分的に変化させることで、効率的かつ均等に担体１２０を加熱し、担体１２０に担持された触媒を昇温する技術が公知となっている（例えば、特許文献１参照）。
【０００６】
排気浄化装置１００においては、端子１５０を通過した電流は、電極１３０からすぐに担体１２０に流れず、担体１２０よりも電気抵抗の小さい電極１３０の両端部へと流れる（図中矢印参照）。そのため、担体１２０の周方向における電極１３０・１４０の両端部近傍においては、それらの中央付近よりも電流密度が高くなり、担体１２０全体として温度にばらつきが生じる。
特許文献１に記載の技術では、このような問題が考慮されておらず、温度のばらつきが生じないように均等に担体１２０を加熱することができなかった。そのため、コールドスタート時に担体１２０に担持された触媒において活性温度に達していない部分が生じるおそれがあり、排気ガス中の有害物質の浄化が充分ではなかった。
【先行技術文献】
【特許文献】
【０００７】
【特許文献１】特開平８−２３２６４７号公報
【発明の概要】
【発明が解決しようとする課題】
【０００８】
本発明は、担体を均等に加熱して、エンジンのコールドスタート時においても担体に担持された触媒を活性温度まで昇温できる排気浄化装置を提供することを課題とする。
【課題を解決するための手段】
【０００９】
本発明の排気浄化装置は、外装をなす中空のケースと、前記ケースの内部に収納され、触媒が担持される担体と、前記担体の外周面に設けられる一対の電極と、前記一対の電極に電気的に接続され、前記ケースの外部に突出する一対の端子と、を具備し、前記一対の電極を通じて前記担体を通電加熱して前記触媒を活性温度まで昇温する排気浄化装置であって、前記担体は、複数の隔壁によってハニカム構造に形成され、前記複数の隔壁を通じて、前記担体を通電加熱するための電流が前記一対の電極間を流れ、下記の数１から算出される、前記端子間のすべての電流経路の電気抵抗が等しくなるように前記担体の隔壁の厚さが設定される。
【数１】
2011099405.tif 000003
【発明の効果】
【００１０】
本発明によれば、担体を均等に加熱して、エンジンのコールドスタート時においても担体に担持された触媒を活性温度まで昇温できる。
【図面の簡単な説明】
【００１１】
【図１】本発明に係る排気浄化装置の正面断面図。
【図２】本発明に係る排気浄化装置の一部側面断面図。
【図３】隔壁を通る電流経路を示す図。
【図４】担体、電極、及び端子を二次元座標上に示した図。
【図５】担体の周方向における電極が設けられた範囲に位置しない一つの隔壁を通る電流経路を示す図。
【図６】端子が担体の周方向における電極の中央部に配置されていない場合における一つの隔壁を通る電流経路を示す図。
【図７】担体が電極に対して周方向に傾いている場合における隔壁の厚さの設定を示す図。
【図８】従来の排気浄化装置の正面断面図。
【発明を実施するための形態】
【００１２】
以下では、図１〜図２を参照して、排気浄化装置１について説明する。
排気浄化装置１は、自動車等の排気経路上に設けられ、エンジンから排出される排気ガスを浄化する通電加熱式触媒（Ｅｌｅｃｔｒｉｃａｌｌｙ  Ｈｅａｔｅｄ  Ｃａｔａｌｙｓｔ：ＥＨＣ）である。
【００１３】
図１及び図２に示すように、排気浄化装置１は、外装をなす中空のケース１０と、ケース１０の内部に収納された担体２０と、担体２０の外周面に設けられた電極３０・４０と、電極３０・４０にそれぞれ電気的に接続された端子５０・６０とを具備する。
【００１４】
ケース１０は、排気浄化装置１の外装をなすと共に、エンジンから排出される排気ガスが流動する排気管の一部をなす部材であり、略円筒状に形成されている。
【００１５】
担体２０は、ＳｉＣ（炭化ケイ素）、又はコーディエライト等のセラミックスからなる円筒状の部材であり、白金、又はパラジウム等の触媒が担持されている。担体２０は、複数の隔壁２１・２１・・・によってハニカム構造に形成されている。
担体２０の外径は、ケース１０の内径よりも若干小さく設定される。担体２０は、ケース１０の内部においてケース１０の内周面との間に所定の隙間（ケース１０の内周面と担体２０の外周面に設けられた電極３０・４０とが接触しない程度の隙間）を有するように配置されると共に、エンジンから排出される排気ガスが担体２０の内部を軸方向に通過するように配置されている。なお、ケース１０の内周面と担体２０の外周面との間には、アルミナ等からなる保持部材（不図示）が設けられており、担体２０の位置ずれを防止すると共に、ケース１０の内周面と担体２０の外周面との間の隙間をシールしている。
【００１６】
隔壁２１は、担体２０の内部空間を複数に分割するものであり、複数の隔壁２１・２１・・・が互いに間隔を空けて配置されると共に、直交するように配置される。このように配置される隔壁２１・２１・・・によって担体２０を格子状のハニカム構造に構成する。隔壁２１・２１・・・の厚さは、隔壁２１ごとに異なり、電気抵抗を部分的に変化することで担体２０が均等に加熱されるように設定されている。各隔壁２１の厚さの設定については後述する。
【００１７】
電極３０・４０は、溶射によって担体２０の外周面に層状に形成された銅、又はアルミニウム等からなる一対の電極である。電極３０・４０は、それぞれ担体２０の周方向における所定範囲に設けられ、互いに１８０度の位相差をもって対向した状態で担体２０の軸方向における両端部に亘って担体２０の軸芯と平行に延出されている。担体２０の周方向における電極３０・４０の長さは、互いに同一に設定され、担体２０の軸方向における電極３０・４０の長さも、互いに同一に設定されている。電極３０・４０は、担体２０と電気的に接続されており、担体２０に電流を流して加熱するための電極として機能する。一対の電極３０・４０間においては、複数の隔壁２１・２１・・・を通じて担体２０を通電加熱するための電流が流れる。
なお、本実施形態においては、電極３０をプラス側、電極４０をマイナス側の電極として、電極３０から電極４０に向けて電流が流れるように構成している。
【００１８】
端子５０・６０は、電極３０・４０と、ケース１０の外部に設けられたバッテリ等の電源とを電気的に接続するための棒状部材である。端子５０・６０は、それぞれ担体２０における電極３０・４０が設けられた位置に合わせて配置され、本実施形態においては、互いに１８０度の位相差をもって対向するように電極３０・４０の中央部に配置されている。端子５０・６０は、それらの一端部がケース１０の外部に突出するようにケース１０に貫通した状態で固定されている。
端子５０・６０は、ケース１０の外部において、ワイヤハーネス等の接続部材を介して前記電源と電気的に接続され、ケース１０の内部において、それぞれ電極３０・４０と電気的に接続されている。つまり、端子５０・６０の一端部と前記接続部材とが接続され、端子５０・６０の他端部と電極３０・４０とがそれぞれ接続されている。こうして、端子５０・６０によって前記電源と電極３０・４０とが電気的に接続することを可能としている。
なお、本実施形態においては、端子５０をプラス側、端子６０をマイナス側の端子として、電流が端子５０、電極３０、担体２０、電極４０、端子６０の順に流れるように構成している（図１参照）。
【００１９】
以上のように、排気浄化装置１では、前記電源を用いて電極３０から電極４０に向けて通電することにより担体２０を加熱することで、担体２０に担持された触媒を活性温度まで昇温して、エンジンから排出されて担体２０を通過する排気ガス中のＨＣ（未燃炭化水素）、ＣＯ（一酸化炭素）、及びＮＯｘ（窒素酸化物）等の有害物質を触媒反応により浄化する。
【００２０】
以下では、図３〜図５を参照して、担体２０における各隔壁２１の厚さの設定について詳細に説明する。
なお、以下においては、図３における上下方向を担体２０の上下方向と規定して説明する。また、隔壁２１・２１・・・は、担体２０の周方向における電極３０・４０の中央位置を結んだ線（図３において上下方向に結ばれる線）に対して平行、又は直交しているものとし、当該上下方向に沿って配置される隔壁２１・２１・・・の左右方向の長さを各隔壁２１の厚さとして説明する。
つまり、ここでは、電極３０・４０の配置方向と直交する方向（左右方向）については電流が流れにくくなるため、上下方向に沿って配置される隔壁２１・２１・・・の厚みを設定することによって、担体２０が均等に加熱されるように設定している。
【００２１】
上記のように、各隔壁２１の厚さを設定する際、各隔壁２１を通り、かつ、端子５０、電極３０、電極４０、端子６０の順に流れる端子５０・６０間の電流経路における電気抵抗を下記の数１から算出し、すべての電流経路における電気抵抗が等しくなるようにする。つまり、電流経路長（Ｌ）が異なる各隔壁２１の厚さを適宜変更することで、電流経路断面積（Ａ）を増減して電気抵抗を等しくする。
【００２２】
【数１】
2011099405.tif 000004
【００２３】
ここで、図３に示すように、任意の一つの上下方向の隔壁２１を隔壁２１ａ、及びその厚さをｔ１とし、隔壁２１ａに隣接して隔壁２１ａよりも担体２０の径方向外側に位置する隔壁２１を隔壁２１ｂ、及びその厚さをｔ２とする。更に、電流経路の始点を担体２０の周方向において端子５０が位置する点Ａとし、隔壁２１ａの両端部を点Ｂ、及び点Ｃとし、電流経路の終点を担体２０の周方向において端子６０が位置する点Ｄとする。
この時、隔壁２１ａを通る電流経路は、点Ａ、点Ｂ、点Ｃ、点Ｄを順に辿る経路となる。
なお、隔壁２１ａ・２１ｂは、担体２０の周方向における電極３０・４０が設けられた範囲に位置するものとする。また、左右方向の隔壁２１は考慮しない。
【００２４】
上記の隔壁２１ａを通る電流経路は、電極３０上の電流経路と、隔壁２１ａ上の電流経路と、電極４０上の電流経路とに分けることができる。担体２０の電気抵抗は、電極３０・４０の電気抵抗よりも大きく、担体２０の外周面において電極３０・４０が設けられている範囲では、電流が担体２０よりも電極３０・４０を優先して流れるためである。
この時、電極３０上の電流経路は、担体２０の周方向における円弧ＡＢとなり、隔壁２１ａ上の電流経路は、直線ＢＣとなり、電極４０上の電流経路は、担体２０の周方向における円弧ＣＤとなる。
ここで、円弧ＡＢの長さと円弧ＣＤの長さとを加算したもの、つまり電極３０・４０の電流経路長をＬｅとする。更に、直線ＢＣの長さ、つまり隔壁２１ａの電流経路長をＬｃとする。
【００２５】
担体２０の軸方向から見た中心を二次元座標（ｘｙ座標）の原点Ｏとして、更に説明する。
ここで、図４に示すように、担体２０の直径をｄとすると、担体２０の外周の座標（ｘ，ｙ）が下記の数２で表される。
【００２６】
【数２】
2011099405.tif 000005
【００２７】
まず、隔壁２１ａの電流経路長Ｌｃを求める。
隔壁２１ａの厚さ方向の中心部分におけるｘ座標をｘ１とし、このｘ座標に対応する担体２０の外周のｙ座標をｙ１とすると、上記の数２より下記の数３のように表される。
【００２８】
【数３】
2011099405.tif 000006
【００２９】
この時、ｙ１は、隔壁２１ａの電流経路長（図４における隔壁２１ａの上下方向の長さ）Ｌｃの半分である。そのため、隔壁２１ａの電流経路長Ｌｃを下記の数４のように表すことができる。
【００３０】
【数４】
2011099405.tif 000007
【００３１】
次に、電極３０・４０の電流経路長Ｌｅを求める。
担体２０における端子５０の中心部から隔壁２１ａの厚さ方向の中心部分までの円弧（図３における円弧ＡＢ）に対する中心角の角度をθ１とすると、下記の数５が成立する。
【００３２】
【数５】
2011099405.tif 000008
【００３３】
上記の数５を下記の数６に変換する。
【数６】
2011099405.tif 000009
【００３４】
隔壁２１ａは、ｙ軸と平行に配置されているため、担体２０における隔壁２１ａの厚さ方向の中心部分から端子６０の中心部までの円弧（図３における円弧ＣＤ）に対する中心角の角度もθ１であり、担体２０における端子５０の中心部から隔壁２１ａの厚さ方向の中心部分までの円弧（図３における円弧ＡＢ）の長さと、担体２０における隔壁２１ａの厚さ方向の中心部分から端子６０の中心部までの円弧（図３における円弧ＣＤ）の長さとが同一である。そのため、電極３０・４０の電流経路長Ｌｅを上記の数３、及び数６より下記の数７のように表すことができる。
【００３５】
【数７】
2011099405.tif 000010
【００３６】
以上のように、隔壁２１ａの電流経路長Ｌｃ、及び電極３０・４０の電流経路長Ｌｅが求められた上で、担体２０の隔壁２１ａにおける電気抵抗をＲｃとし、担体２０の電気抵抗率をρｃとし、担体２０の隔壁２１ａにおける電流経路の断面積をＡｃとすると、上記の数１、及び数４より下記の数８が成立する。
なお、本実施形態においては、隔壁２１ａの電流経路断面積Ａｃは、隔壁２１ａの厚さｔ１と、担体２０の軸方向の長さであるｚ（図２参照）とを乗算したものである。
【００３７】
【数８】
2011099405.tif 000011
【００３８】
また、電極３０・４０の電気抵抗をＲｅとし、電極３０・４０の電気抵抗率をρｅとし、電極３０・４０における電流経路の断面積をＡｅとすると、上記の数１、及び数７より下記の数９が成立する。
【００３９】
【数９】
2011099405.tif 000012
【００４０】
隔壁２１ａを通る電流経路（図３における点Ａ、点Ｂ、点Ｃ、点Ｄを順に辿る経路）の電気抵抗をＲ１とすると、Ｒ１はＲｃとＲｅとの合成抵抗とみなすことができる。そのため、Ｒ１を上記の数８、及び数９より下記の数１０のように表すことができる。
なお、電極３０・４０の電気抵抗率ρｅは、担体２０の電気抵抗率ρｃと比較して極めて小さく、それに伴って電極３０・４０の電気抵抗Ｒｅも担体２０の隔壁２１ａにおける電気抵抗Ｒｃと比較して極めて小さくなるため、電極３０・４０の電気抵抗Ｒｅを無視してもよい（Ｒ１＝Ｒｃ）。
これにより、上下方向の隔壁２１の厚さの設定をより簡略にすることができる。
【００４１】
【数１０】
2011099405.tif 000013
【００４２】
隔壁２１ａを通る電流経路の電気抵抗であるＲ１を求めるのと同様に、隔壁２１ｂの厚さ方向の中心部分におけるｘ座標をｘ２とし、このｘ座標に対応する担体２０の外周のｙ座標をｙ２とし、更に担体２０における端子５０の中心部から隔壁２１ｂの厚さ方向の中心部分までの円弧に対する中心角の角度をθ２として、隔壁２１ｂを通る電流経路の電気抵抗を求める。この時、隔壁２１ｂを通る電流経路の電気抵抗をＲ２とする。
そして、Ｒ１とＲ２とが等しくなるように、ｔ１とｔ２とを設定する。
なお、前述のように、隔壁２１ａ・２１ｂは、担体２０の周方向における電極３０・４０が設けられた範囲に位置しており、当該範囲における上下方向の隔壁２１の厚さは、担体２０の径方向外側に行くに従って小さく設定される。つまり、図３及び図４に示すように、隔壁２１ａ、隔壁２１ｂの順にその厚さが小さく設定される（ｔ１＞ｔ２）。
【００４３】
続いて、担体２０の周方向における電極３０・４０が設けられた範囲に位置しない上下方向の隔壁２１について説明する。
ここで、図５に示すように、任意の一つの上下方向の隔壁２１を隔壁２１ｃ、及びその厚さをｔ３とし、隔壁２１ｃに隣接して隔壁２１ｃよりも担体２０の径方向内側に位置する隔壁２１を隔壁２１ｄ、及びその厚さをｔ４とする。更に、電流経路の始点を担体２０の周方向において端子５０が位置する点Ａとし、担体２０の周方向における電極３０の一端部（図５における右端部）と担体２０の外周との接触位置を点Ｅとし、隔壁２１ｃの両端部を点Ｆ、及び点Ｇとし、担体２０の周方向における電極４０の一端部（図５における右端部）と担体２０の外周との接触位置を点Ｈとし、電流経路の終点を担体２０の周方向において端子６０が位置する点Ｄとする。
この時、隔壁２１ｃを通る電流経路は、点Ａ、点Ｅ、点Ｆ、点Ｇ、点Ｈ、点Ｄを順に辿る経路となる。
なお、隔壁２１ｃ・２１ｄは、担体２０の周方向における電極３０・４０が設けられていない範囲に位置するものとする。また、左右方向の隔壁２１は考慮しない。
【００４４】
上記の隔壁２１ｃを通る電流経路は、電極３０上の電流経路と、担体２０上の電流経路と、電極４０上の電流経路とに分けることができる。担体２０の電気抵抗は、電極３０・４０の電気抵抗よりも大きく、担体２０の外周面において電極３０・４０が設けられている範囲では、電流が担体２０よりも電極３０・４０を優先して流れるためである。
この時、電極３０上の電流経路は、担体２０の周方向における円弧ＡＥとなり、担体２０上の電流経路は、円弧ＥＦ、直線ＦＧ、及び円弧ＧＨとなり、電極４０上の電流経路は、担体２０の周方向における円弧ＨＤとなる。つまり、前記の隔壁２１ａを通る電流経路（図３における点Ａ、点Ｂ、点Ｃ、点Ｄを順に辿る経路）と比較して、隔壁２１ｃを通る電流経路（図５における点Ａ、点Ｅ、点Ｆ、点Ｇ、点Ｈ、点Ｄを順に辿る経路）は、電極３０・４０が設けられていない範囲における担体２０の外周を考慮する必要がある。
隔壁２１ｃの厚さｔ３、及び隔壁２１ｄの厚さｔ４の設定に関しては、隔壁２１ａの厚さｔ１、及び隔壁２１ｂの厚さｔ２の設定と略同様であるため、詳細は省略する。
なお、前述のように、隔壁２１ｃ・２１ｄは、担体２０の周方向における電極３０・４０が設けられていない範囲に位置しており、当該範囲における上下方向の隔壁２１の厚さは、担体２０の径方向外側に行くに従って大きく設定される。つまり、図５に示すように、隔壁２１ｄ、隔壁２１ｃの順にその厚さが大きく設定される（ｔ３＞ｔ４）。
【００４５】
以上のように、各隔壁２１を通過し、かつ、端子５０、電極３０、電極４０、端子６０の順に流れる端子５０・６０間の電流経路における電気抵抗を上記の数１から算出し、すべての電流経路における電気抵抗が等しくなるように、担体２０におけるすべての上下方向の隔壁２１・２１・・・の厚さを設定する。
こうして、上下方向の隔壁２１・２１・・・は、担体２０の周方向における電極３０・４０が設けられた範囲においては、担体２０の径方向外側に行くに従って厚さが小さくなり、担体２０の周方向における電極３０・４０が設けられていない範囲においては、担体２０の径方向外側に行くに従って厚さが大きくなる。
これにより、電流をすべての上下方向の隔壁２１・２１・・・において均等に流すことができ、担体２０の周方向における電極３０・４０の両端部近傍の電流密度が中央付近の電流密度よりも高くなることなく、担体２０における電流密度のばらつきを防止することができる。したがって、担体２０を均等に加熱して、エンジンのコールドスタート時においても担体に担持された触媒を活性温度まで昇温できる。
【００４６】
なお、図６に示すように、端子５０・６０が担体２０の周方向における電極３０・４０の中央部に配置されていない場合においても、端子５０・６０が担体２０の周方向における電極３０・４０の中央部に配置された場合と同様に、上下方向の隔壁２１の厚さを設定することが可能である。また、前述のように、担体２０上の電流経路の電気抵抗と、電極３０・４０上の電流経路の電気抵抗との合成抵抗を算出する際に、電極３０・４０に上の電流経路の電気抵抗を無視することで、上下方向の隔壁２１の厚さの設定をより簡略にすることができる。
【００４７】
また、図７に示すように、隔壁２１・２１・・・が担体２０の周方向における電極３０・４０の中央位置を結んだ線（図７において上下方向に結ばれる線）に対して平行ではない、又は直交していない場合、つまり担体２０が電極３０・４０に対して周方向に傾いている場合においても、各隔壁２１の厚さを設定することが可能である。
詳細には、任意の位置（例えば、図７に示す直線α、及び直線β）に上下方向の隔壁２１があるものと仮定して、当該隔壁２１の厚さを担体２０が電極３０・４０に対して周方向に傾いていない場合（隔壁２１・２１・・・が担体２０の周方向における電極３０・４０の中央位置を結んだ線に対して平行、又は直交している場合）と同様に設定し、当該設定された厚さを仮定された隔壁２１の近傍に現実に存在する隔壁２１（図７に示す直線α、及び直線βに交差する隔壁２１であって、太線で示す部分）の厚さとする。
【符号の説明】
【００４８】
１    排気浄化装置
１０    ケース
２０    担体
２１    隔壁
２１ａ、２１ｂ、２１ｃ、２１ｄ    隔壁
３０、４０    電極
５０、６０    端子
【図１】
2011099405.tif 000015
【図２】
2011099405.tif 000016
【図３】
2011099405.tif 000017
【図４】
2011099405.tif 000018
【図５】
2011099405.tif 000019
【図６】
2011099405.tif 000020
【図７】
2011099405.tif 000021
【図８】
2011099405.tif 000022